Podtech/llm-jp-corpus-v4-ja_patent huggingface dataset:
(57)【要約】【課題】壁面に壁紙を、精度よく、かつ強度に優れた状態で、安定して貼り付けることができる方法を提供する。【解決手段】壁紙を貼着する壁面１に、貼り付ける壁紙２の縁部に相当する位置に、１ｃｍ以上の幅で、エチレン酢酸ビニルエマルジョン、ポリ酢酸ビニルエマルジョン、アクリル系樹脂エマルジョン及びデンプン糊から選ばれる少なくとも一種の補強剤３を、固形分で５〜２００ｇ／ｍ２の塗布量で塗布、乾燥した後、壁紙２の裏面全体に接着剤４を塗布し、上記補強剤上に壁紙の両側の縁部が整合性よく位置するようにして、壁面に壁紙を貼り付ける。【選択図】図１
2008133646.tif 000002
【特許請求の範囲】
【請求項１】
壁面に壁紙を貼着するものであって、壁紙を貼る壁面に、貼り付ける壁紙の縁部に相当する位置に、１ｃｍ以上の幅で、エチレン酢酸ビニルエマルジョン、ポリ酢酸ビニルエマルジョン、アクリル系樹脂エマルジョン及びデンプン糊から選ばれる少なくとも一種の補強剤を、固形分で５〜２００ｇ／ｍ２の塗布量で塗布、乾燥した後、前記壁紙の裏面全体に接着剤を塗布し、前記補強剤上に前記壁紙の両側の縁部が整合性よく位置するようにして、壁面に前記壁紙を貼り付けることを特徴とする壁紙貼着施工方法。
【請求項２】
前記壁面が木材又は石膏ボードであることを特徴とする請求項１の施工方法。
【請求項３】
前記補強剤の塗布幅が、前記壁紙の幅の３分の１以下であることを特徴とする請求項１又は２の施工方法。
【請求項４】
前記壁紙に施される接着剤が澱粉糊を主成分とするものであることを特徴とする請求項１〜３いずれか１項の施工方法。
【発明の詳細な説明】
【技術分野】
【０００１】
本発明は、壁面に壁紙を品質よく貼り付けるための施工方法に関する。
【背景技術】
【０００２】
壁面に壁紙を均質に貼ることは困難であるとして、種々の方法が試みられている。その中には、例えば特許文献１に示されるように、合成樹脂フィルムからなるテープの片面にポリビニルアルコール（ＰＶＡ）のような水溶性接着剤層も設けたカットテープを使用する方法、特許文献２に示されるように、裏面に細く接着剤層を形成したマスキングテープを使用する方法、特許文献３に示されるように、ＰＶＡのような水溶性接着剤層を有する粘着用テープを使用する方法、特許文献４に示されるように少なくとも片面に水溶性接着剤層を設けた両面テープを使用する方法が開示されている。
【０００３】
しかし、ＰＶＡのような水溶性接着剤の使用では、壁面に壁紙を強度よく貼り付けることはできず、かかる方法は実用性あるものではなかった。
【特許文献１】特公平２−５７６２７号公報
【特許文献２】特公平３−１７９８１号公報
【特許文献３】特開平１１−３６５４９号公報
【特許文献４】特開平１１−２１０３３６号公報
【発明の開示】
【発明が解決しようとする課題】
【０００４】
本発明は、壁面に壁紙を、精度よく、かつ強度に優れた状態で、安定して貼り付けることができる方法を提供することを課題とする。
【課題を解決するための手段】
【０００５】
本発明では、壁紙を貼る壁面に、貼り付ける壁紙(クロスであってもよい）の縁部に相当する位置に、１ｃｍ以上の幅で、エチレン酢酸ビニルエマルジョン、ポリ酢酸ビニルエマルジョン、アクリル系樹脂エマルジョン及びデンプン糊から選ばれる少なくとも一種の補強剤を、固形分で５〜２００ｇ／ｍ２の塗布量で塗布、乾燥した後、壁紙の裏面全体に接着剤を塗布し、上記補強剤上に壁紙の両側の縁部が整合性よく位置するようにして、壁面に壁紙を貼り付けることにより、上記課題を解決した。
【０００６】
壁面は、コンクリート、モルタル、木材、石膏ボードなどのいずれであってもよいが、本発明の方法は、木材及び石膏ボードに対して特に効果的に使用できる。
【０００７】
補強剤の塗布幅は、１ｃｍ〜１５ｃｍ程度、特に２〜１２ｃｍ程度であるのが好ましく、壁紙の幅の３分の１以下であるのがよい。
【０００８】
なお、壁紙に施される接着剤は、合成樹脂エマルジョンであってもよいが、澱粉糊を主成分とするものであるのが好ましい。
【発明を実施するための最良の形態】
【０００９】
次に、本発明の実施例を図面に従って説明する。
【００１０】
実施例１
壁面（石膏ボード）１に壁紙（紙クロス）２を貼り付けるものであって、壁面１に、貼り付ける壁紙２の両縁部に相当する位置に幅１０ｃｍ幅に、補強剤３としてエチレン酢酸ビニル樹脂エマルジョンをロール塗装し、乾燥した。補強剤３の塗布量は、固形分で約５０ｇ／ｍ２ とした。
壁紙２の裏面にエチレン酢酸ビニル樹脂エマルジョン８％とデンプン糊９２％の混合接着剤４を全面に塗布し（接着剤の塗布量は固形分で約１５ｇ／ｍ２ ）、前記補強剤３上に壁紙２の両縁が位置するように重ねるようにして、壁面１上に壁紙２を貼り付け、自然乾燥した。
ＪＩＳ  Ａ  ６９２２による接着試験結果と、一週間後の施工状態(ジョイントの状態）を、表１に示す。
【００１１】
実施例２
補強剤３として、酢酸ビニル樹脂エマルジョンを使用した以外は実施例１と同様の方法で、壁面１に壁紙２を貼り付けた。
ＪＩＳ  Ａ  ６９２２による接着試験結果と、一週間後の施工状態を表１に示す。
【００１２】
比較例１
補強剤３を使用せずに、実施例１と同様の方法で、壁面１に壁紙２を貼り付けた。
ＪＩＳ  Ａ  ６９２２による接着試験結果と、一週間後の施工状態を表１に示す。
【００１３】
比較例２
補強剤３として、ポリビニルアルコール溶液を使用した以外は実施例１と同様の方法で、壁面１に壁紙２を貼り付けた。
ＪＩＳ  Ａ  ６９２２による接着試験結果と、一週間後の施工状態を表１に示す。
【００１４】
【表１】
2008133646.tif 000003
【００１５】
表１に示すように、本発明による実施例1及び２では、目スキのない状態で、品質よく強度ある壁紙の貼り付けが可能となるのに対し、補強剤を使用しない比較例１や水溶性であるポリビニルアルコールを補強剤に使用した比較例２では、強度有る貼り付けができず、また、目スキが生じ、実用性に欠けるものとなった。
【図面の簡単な説明】
【００１６】
【図１】図１は本発明の一例を示すもので、Ａは壁面に補強剤を塗布した状態を示す平面図、Ｂは壁紙を貼り付けた状態を示す断面図である。
【符号の説明】
【００１７】
１  壁面
２  壁紙
３  補強剤
４  接着剤
【図１】
2008133646.tif 000004
(57)【要約】【課題】  発毛効果の高い発毛剤を提供する。【解決手段】  生姜エキス、昆布エキス、レモンエキス、パパイヤエキス、みかんの皮エキス、深海鮫油、エタノールを成分とする発毛剤。【選択図】  図２
2008214217.tif 000002
【特許請求の範囲】
【請求項１】
生姜エキス、昆布エキス、レモンエキス、パパイヤエキス、みかんの皮エキス、深海鮫油、エタノールを成分とする発毛剤。
【請求項２】
各成分が以下の配合割合（容量％）を有する請求項１の発毛剤。
生姜エキス                  ５０
昆布エキス                  １１
レモンエキス                  ７
パパイヤエキス                ５
みかんの皮エキス          １．５
深海鮫油                  ０．５
エタノール                  ２５
【発明の詳細な説明】
【技術分野】
【０００１】
本発明は、禿げ、薄毛を改善する塗布タイプの発毛剤に関するものである。
【背景技術】
【０００２】
禿げ、薄毛は頭皮の血行不良が原因とされ、これを改善して発毛を促すとする発毛剤が古来より多く出現している。中でも、下記特許文献１及び２で示されるような生薬を主体とする発毛剤は、温和な効能を示すとしている。この先行例において、生姜エキスは血行を促進するものとして使用されているが、その中で使用されている４〜５重量％程度の使用では、使用量が絶対的に少ない。また、その他の発毛効果のある成分も使用されていないように見受けられる。
【特許文献１】特開平１０−２１８７３７号公報
【特許文献２】特開２０００−１３６１１８号公報
【発明の開示】
【発明が解決しようとする課題】
【０００３】
本発明は、このような課題を解決したものであり、生姜エキスの配合割合を半分程度と飛躍的に増やすとともに、他の有効な発毛成分と深海鮫の肝油を加えることで、発毛効果の高い発毛剤を提案したものである。
【課題を解決するための手段】
【０００４】
以上の課題の下、本発明は、請求項１に記載した、生姜エキス、昆布エキス、レモンエキス、パパイヤエキス、みかんの皮エキス、深海鮫油、エタノールを成分とする発毛剤を提供するとともに、これにおいて、請求項２に記載した、各成分が以下の配合割合（容量％）を有する請求項１の発毛剤を提供する。
生姜エキス                  ５０
昆布エキス                  １１
レモンエキス                  ７
パパイヤエキス                ５
みかんの皮エキス          １．５
深海鮫油                  ０．５
エタノール                  ２５
【発明の効果】
【０００５】
請求項１及び２の発毛剤によると、禿げた部分が短期間で発毛した（写真で示す）。理由は定かではないが、生姜エキスの大量配合及び昆布エキスと深海鮫油の混入が効果を高めたものと思われる。
【発明を実施するための最良の形態】
【０００６】
本発明の発毛剤に使用する成分は、生姜エキス、昆布エキス、レモンエキス、パパイヤエキス、みかんの皮エキス、深海鮫油、エタノールである。このうち、エタノールは溶剤としての役割を有する。本発明はこれら各成分を生成して混入するが、各成分の生成方法は次のとおり。
【０００７】
１．生姜エキス：生姜をスライスして天日で乾燥し、この乾燥生姜５０ｇを１リットルの水で水が半分くらいになるまで沸騰（抽出）させ、その煮汁を使用する。
２．昆布エキス：通常の昆布を水で煮てその煮汁を使用する。
３．レモンエキス及びみかんの皮エキス：丸まま或いは輪切りにして絞り、その絞り汁を使用する。
４．パパイヤエキス：荒く輪切りにしてその５００ｇを２リットルの水で生姜と同様に煮、その煮汁を使用する。
【０００８】
以上の１〜４を冷やした後に攪拌し、これを濾過して固形物を除去する。これに深海鮫油とエタノールを添加すると完成する。なお、深海鮫にはアイザメがあり、肝油として種々のものが市販されているから、これを使用すればよい。また、エタノールは消毒用と溶剤を兼ねるものである。ところで、以上の各成分は上記の割合で配合したものが最適であるが、各々の成分ともに１０％程度の誤差は許されるであろう。
【実施例】
【０００９】
以上の各成分を上記割合で配合した発毛剤を製作してみた。これを一日数回頭部に塗布して経過を観察してみた。使用前には頭頂部に禿げが見られたが（図面（写真）１）、三カ月も塗布を続けると、禿げの部分に発毛が見られた（図面（写真）２）。同時に禿げの部分は白髪であったものが黒くなって来た。この点で、大いなる効果が確認された。なお、上記例は女性であるが、男性に対しても同様である。
【図面の簡単な説明】
【００１０】
【図１】本発明の発毛剤の使用前の頭部の図面代用写真である。
【図２】本発明の発毛剤の使用後の頭部の図面代用写真である。
【図１】
2008214217.tif 000003
【図２】
2008214217.tif 000004
(57)【要約】【課題】  パソコンに接続するコード類の切り込み穴付電気コード収納ケースを提供する。【解決手段】  収納ケース上部に蓋（４）を取り付け、左側版（２）、右側版（３）に、左側版切り込み穴（６）、右側版切込み穴（７）を備えたことを特徴とする切り込み穴付電気コード収納ケースである。【選択図】図１
2008214096.tif 000002
【特許請求の範囲】
【請求項１】
収納ケース（１）の上部に蓋（４）を儲け、左側版）、右即版（３）に、左側版切込み穴（６）、右側版切込み穴（７）を有し、背面にマグネットキャッチ（４）を備えたことをを特徴とする切り込み穴付電気コード収納ケース。
【発明の詳細な説明】
【技術分野】
【０００１】  本発明は切り込み穴付電気コード収納ケースに関するものである。
【背景技術】
【０００２】  従来パソコンにつなぐコードはＡＣアダプタコードをはじめプリンタへの接続コード、インターネットへの接続コード等多数になりＡＣコンセント用タップを含めると煩雑となり見栄えよくまとめて整理することが出来なかった。
【発明の開示】
【発明が解決しようとする課題】
【０００３】  そのために次のような問題点があった
各コードの長さがまちまちである。
各コードの形状がまちまちである。
コードの本数が多くなるため多数口のＡＣコンセントが必要となる。
【課題を解決するための手段】
【０００４】  上記コード類をまとめて収納できるＡ４程度の大きさで両側面（２）、（３）に中心を越えて深く切り込んだ穴（６）穴（７）を設け、ＡＣコンセントを含むコード類をすべて収納できる大きさの容器（１）で背面にマグネットキャッチ（５）を備えスチール机の背面のや側面の任意の場所に取り付けることができることを特徴とする電気コード収納ケースである。
【発明の効果】
【０００５】  収納ケース▲１▼の両サイド、左側版（２）、右側版（３）に、左側版切り込み穴（６）、右側版切込み穴（７）があるためコードは両端より引き出すことが出来、コードの長さ形状に関係なく各コードごと丸めて収納することが出来る。
また多数口のＡＣコンセントも一緒に収納することが出来る。
パソコン周りのコード類は全て収納できすっきり見栄えよく整理することが出来る。
【発明を実施するための最良の形態】
【０００６】  以下本発明の実施の形態について説明する。
コード収納ケース（１）の上部に蓋▲４▼を設け、左側版（２）、右側版（３）に中心より更に左側版切り込み穴（６）、右側版切込み穴（７）からコード類を出し入れする。
ケース背面にマグネットキャッチ▲４▼を備えている。
ＡＣ電源アダプタコードを含む各種の接続コードの余った分は丸めて収納出来る。
コの字形に曲げた蓋（４）は上からかぶせ取り外し可とする。
ケース（１）のサイズは、Ａ４サイズ（２１ｃｍ×２９．７ｃｍ）程度の大きさので、奥行きは約１５ｃｍ程度とした。
【図面の簡単な説明】
【０００７】
【図１】  本発明の斜視図である。
【符号の説明】
【０００８】      １  収納ケース
２  左側版
３  右側版
４  蓋
５  マグネットキャッチ
６  左側版切り込み穴
７  右側版切込み穴
【図１】
2008214096.tif 000003
(57)【要約】      （修正有）【課題】各施設で利用している、ポリ袋での廃棄物の処理において、そのポリ袋の口元を密封する作業はめんどうな事である。搬送時の漏れ出し、又それによる悪臭、衛生上の問題等が、考えられる。【解決手段】本発明の処理は、ポリ袋へ廃棄物を詰め込む作業と連続して縛りひもパックのシール＆カットＢ９の開口部をポリ袋１１の首元へ装着させ、縛りひもパックニギリ部７を左右に引くことで直ちに密封することが出来る。悪臭の遮断と其の後の搬送、保管に大いに利する発明である。【選択図】図１
2008214097.tif 000002
【特許請求の範囲】
【請求項１】
（イ）ポリチューブ（１）の内側へ包装用テープ（２）でつくった、固め結び（３）の輪を入れて、次の各部分を、熱接着する。接着部Ａ（４）、接着部Ｂ（５）（ロ）結び目（６）から縛りひもパックニギリ部（７）の２条のひもの間をシール＆カットＡ（８）する。同様に輪の内側部分をシール＆カットＢ（９）する。（ハ）ポリ袋の取手（１０）に縛りひもパックのシール＆カットＢ（９）の開口部を通す（図７）（ニ）縛りひもパックニギリ部（７）を左右方向へ引くことにより、接着部Ａ（４）と結び目（６）部分のポリチューブ（１）が、左右に千切れ、図６の通り、固め結び（３）が、出来る。  以上の如く構成し、操作することにより完成出来る、ポリ袋の密閉である。
【発明の詳細な説明】
【発明の詳細な説明】
【技術分野】
【１１０１】  老人福祉施設、病院等で発生したる、汚染物質、あるいわ、排泄物の処理はポリ袋を使用しているが、この袋の口元の密閉に利用すれば、取扱いの簡素化と機密性にすぐれた発明である。
【背景技術】
【１１０２】  従来のポリ袋の密閉は、ポリ袋の取手を相互に縛ることになるが、この場合の方法では、漏れ、悪臭等を防ぐことは出来ない。他の方法でも順備と手数が、かかり大変めんどうである。
【発明が解決しようとする課題】
【１１０３】  各施設から出されている、廃棄物の処理に利用されている、ポリ袋の密閉は容易ではない。処理物が固形なものは、問題がないとしても、液状のもの、あるいわ、悪臭を発するものは大変困難である。解決する為の対策が必要である。
【課題を解決する為の手段】
【１１０４】  いまその構成と操作を説明する。（イ）縛りひもパックは特に薄い、ポリチューブ（１）内に固め結び（３）された、包装用テープ（２）のひもを挿入し、平面状にたたむ。（ロ）結び目（６）とその輪の部分の形が、くずれないよう対策として、接着部Ａ（４）と接着部Ｂ（５）両端を熱溶着加工する。（ハ）中央部分の結び目（６）と縛りひもパックニギリ部（７）の２条のひもの間をシール＆カットＡ（８）する。接着部Ｂ（５）側も同様に輪の内をシール＆カットＢ（９）する。（ニ）こうして構成した縛りひもパック（図１）のシール＆カットＢ（９）の開口部を、ポリ袋の首元へ、装着させる。（図８）（ホ）縛りひもパックニギリ部（７）の開口部を両手で左右方向へ引張ることにより接着部Ａ（４）と結び目（６）部分のポリチューブが千切れる。（ヘ）さらに続けて縛ることにより中央へ固め結び（３）が完成する（図６）
【発明を実施するための最良の形態】
【１１０５】  本発明に使用した、ポリチューブ（１）は特に厚みの薄いポリエチレン樹脂材を使用する。図６の通りの固め結び縛りに利用しても、締付力のさまたげにならない、むしろ結び目を覆いかぶせることにより、ゆるみ防止の効果が見込まれ指先での開封は出来ない。
【発明の効果】
【１１０６】  衛生上問題有る物質、又悪臭の発する処理もゴム手袋着用のまま速やかな処理が可能である。正常な使用では水道水ですら流れ出すことはない。縛り部から少し滲む程度であり、廃棄物の処理に広く有効に活用出来る。
【図面の簡単な説明】
【図１】縛りひもパック斜視図
【図２】シール＆カット部断面図
【図３】接着部Ａ及び接着部Ｂ
【図４】ポリチューブ斜視図
【図５】縛りひも構造の斜視図
【図６】縛り完成図
【図７】縛りひもパック装着図
【図８】縛り作業図
【符号の説明】
１はポリチューブ２は包装用テープ３は固め結び４は接着部Ａ５は接着部Ｂ６は結び目７は縛りひもパックニギリ部８はシール＆カットＡ９はシール＆カットＢ１０はポリ袋の取手１１はポリ袋
【図１】
2008214097.tif 000003
【図２】
2008214097.tif 000004
【図３】
2008214097.tif 000005
【図４】
2008214097.tif 000006
【図５】
2008214097.tif 000007
【図６】
2008214097.tif 000008
【図７】
2008214097.tif 000009
【図８】
2008214097.tif 000010
(57)【要約】【課題】従来のがん治りょうでは、こうがん剤をてんてきで、体全身に投与していたため、薬の量も多く、副作用も多かった。【解決手段】こうがん剤を直接、がんの病すに注射することによって、こうがん剤の量が少なくてすみ、副作用も少ない。また、直接、がんの病すに注射するので、てきかくに、こうがん剤の作用を打ち出すことができる。【選択図】図１
2008214331.tif 000002
【特許請求の範囲】
【請求項１】
がんの病すに直接こうがん剤を注射する。
【発明の詳細な説明】
【技術分野】
【０００１】医りょうの治りょうに関する注射りょう法。
こと、がん治りょうには注射で直接、がんの病すに、こうがん剤を打ちこむ事がないため、こうがん剤が大量にいるため、副作用が多かった。
【発明の開示】
【発明が解決しようとする課題】
【０００２】てんてきで、体全体にこうがん剤を投与するので副作用が多い。
【課題を解決するための手段】
【０００３】直接、がんの病すにこうがん剤を打ちこむ。
【発明の効果】
【０００４】▲１▼直接、がんの病すにこうがん剤を打ちこむので、薬の量が少なく、副作用が、少なくてすむ。▲２▼がんに直接注射なので、こうか的である。▲３▼まっきがんに効かてき。
【発明を実施するための最良の形態】
【０００５】医りょう機かんにしてもらう。（医者）
【図面の簡単な説明】
【０００６】
【図１】がんの病すに直接注射する。
【図１】
2008214331.tif 000003
(57)【要約】【課題】            土木工事の間知ブロック工事において裏込コンクリートを施工する際の幅止め材と、抜き型枠の設置は外れたり、倒れたりして多大な労力が必要で、また確実な施工が困難であった。【解決手段】        コンクリートブロックと抜型枠との間に線材を略三角形状に成形し、一端が一部を折返し、同三角形の一辺に対し直交して折曲げ間隔保持部を形成した抜き型枠支持材を使用して施工することである。【選択図】          図１
2008214976.tif 000002
【特許請求の範囲】
【請求項１】
線材を略三角形状に成形し、一端を折返し、同三角形の一辺に対し直交して折曲げられている間隔保持部を形成したことを特徴とする抜き型枠支持材。
【請求項２】
上記間隔保持部に複数の折曲用目印を施したことを特徴とする請求項１記載の抜き型枠支持材。
【請求項３】
上記略三角形状の底辺に複数の折曲用目印を施したことを特徴とする請求項１、２記載のいずれかの抜き型枠支持材。
【発明の詳細な説明】
【技術分野】
【０００１】
道路の肩や河川の護岸等の土木工事において、これらを補修するために間知ブロックを胴込コンクリートと裏込砕石とを併用して積み上げた間知ブロック擁壁の建設に使用する型枠支持材に関するものである。
【背景技術】
【０００２】
間知ブロック擁壁工事の際、間知ブロックの前面のこう配と裏込コンクリートの幅は、間知ブロック擁壁が受ける背後の土圧の状況によってきまる。
土質にも影響を受けるが、たとえば背後の状況が田など平地の場合や間知ブロックの高さが低い場合には、裏込コンクリートの幅を狭くするが、背後の状況が山、道路など土圧が大きい場合、間知ブロックの高さが高い場合などには、裏込コンクリートの幅を広くとらなければならない。
一般的な裏込コンクリートの幅の規格値は１０cm、１５cm、２０cmなどが多く、間知ブロックの前面勾配は３分、４分、５分勾配などの種類がある。
従来の間知ブロック擁壁工事を図４に示す。ブロック積で裏込コンクリート３０がある場合には、間知ブロック６０の背面に裏込コンクリート３０の幅を確保する為にその幅と同じ幅止め材１０などを建てこむ。その後に、裏込砕石４０を止める為の抜き型枠５０を建て込んで裏込砕石４０を投入して胴込コンクリート２０及び裏込コンクリート３０を同時に打設する。
コンクリート打設後に幅止めの為の板１０や、抜き型枠５０を抜き取りサイクルの終了である。
この場合、幅止め材１０と抜き型枠を人力で支えておく必要があり、手間と労力を必要としていた。
【０００３】
この改善策として実開平６−１４４４号公報に記載されているように線材をスペーサーとして裏込コンクリートの幅を確保している考案が提案されている。
この他特開２００３−３４９５号公報では間知ブロックの背面に埋め込み穴を設けて、そこへ幅止め材を差し込んで胴込コンクリート幅を確保しようとする考案が提供されている。
【特許文献１】実開平６−１４４４号公報
【特許文献２】特開２００３−３４９５号公報
【発明の開示】
【発明が解決しようとする課題】
【０００４】
又従来の技術によると、裏込砕石の投入に先立って、幅止め材の板等を間知ブロックの背面に立てて、抜き型枠で挟むようにして、しかも幅止め材や抜き型枠が倒れないように人力などで支持して裏込砕石を投入しなければならない。
そこでこの発明は、裏込コンクリートの規格値通りの寸法が得られ、かつ間知ブロックの前面勾配の種類に確実に対応でき、かつ抜き型枠をも支持する抜き型枠支持材を提供することを課題とする。
【課題を解決するための手段】
【０００５】
コンクリートブロックと抜き型枠との間に線材を略三角形状に成形し、一端が一部を折返し、同三角形の一辺に対し直交して折曲げられている抜き型枠支持材を使用して施工するようにしたものである。
【発明の効果】
【０００６】
本発明によると間知ブロック６を設置後、抜き型枠支持材１をセットして抜き型枠５を建て込む。それから裏込砕石４を投入する。従来は幅止め材１０と抜き型枠５０を人力によって支えていたが抜き型枠支持材１によって人力を必要としなくなり、手間が省けることができた。
【発明を実施するための最良の形態】
【０００７】
図１は本発明による抜き型枠支持材を使用して間知ブロック擁壁の工事を行っている様子を示す側面図である。図２は図１中Ｘ部の要部拡大側面図である。同図において１は抜き型枠支持材で該抜き型枠支持材１は線材からなり略三角形状に成形され、一端が折返し、同三角形の一辺に対し直交して折曲げ、間隔保持部Ｂを形成している。
該間隔保持部Ｂは、間知ブロック６と抜き型枠５との寸法を確保する役目を有するものである。間隔保持部Ｂが裏込コンクリートの巾Ｂとなるよう成形されている。
【実施例】
【０００８】
図３は抜き型枠支持材１の平面図である。同図により抜き型枠支持材１をより詳細に説明する。ブロック積の前面勾配と抜き型枠５を支持する部分の勾配を合わせるために、Ｃ１、Ｃ２、Ｃ３には簡単な目印を入れておく。
現状で５分勾配であり、Ｃ部を二等辺三角形の底辺となるように、目印Ｃ１とＣ２を合わせるように手でＡ部を曲折すると４分勾配になる。目印Ｃ１とＣ３を合わせるようにＡ部を曲折すると３分勾配にできる。
次に間隔保持部Ｂには規格寸法によってＢ１Ｂ２の印を施しておく。印は手で折曲げて折れるようにＶカットを施工しておく。
直接手で折曲げても良いが、手の負担が大きい場合には抜き型枠支持材１の線材に入る少し大きい直径のパイプをかぶせて折るようにしても良い。
裏コンクリートの規格幅に合わせて折取る。
最後にＣ部を線材に対して外方向に少し曲げて抜き型枠支持材が自立するようにする。
これで抜き型枠支持材の完成である。
上記のように、間隔保持部Ｂおよび座部Ｃに目印を付けておき、該目印にて折曲げたり、あるいは折損することにより、より簡便にしかも確実に勾配や間隙を調整することができる。
なお、上記実施例では、間隔保持部Ｂおよび座部Ｃの目印Ｂ１、Ｂ２、Ｃ１、Ｃ２は、それぞれに２ヶ所づつ施工したものを示したが、２ヶ所に限定するものではなく、いくつ形成しても良いことは言うまでもない。
【図面の簡単な説明】
【０００９】
【図１】本発明による間知ブロック擁壁の工事を示す側面図である。
【図２】図１中Ｘ部の要部拡大側面図である。
【図３】実施形態の施工変化に対応する説明図である。
【図４】従来の技術による実施形態を示す断面図である。
【符号の説明】
【００１０】
１  抜き型枠支持材
２  胴込コンクリート
３  裏込コンクリート
４  裏込砕石
５  抜き型枠
６  間知ブロック
10  従来の幅止め材
【図１】
2008214976.tif 000003
【図２】
2008214976.tif 000004
【図３】
2008214976.tif 000005
【図４】
2008214976.tif 000006
(57)【要約】【課題】  花粉症等のアレルギー疾患に伴う諸症状の軽減のために、市販の使い捨てカイロ８を使用し、着用者がこの使い捨てカイロ８を取り替えることで、大椎に持続的に温熱刺激を施すことができる着衣を提案する。【解決手段】  上半身に着用するハイネック型のシャツ１の後衿部分に、使い捨てカイロ８を収容するポケット５を、人体の大椎の位置に適合した位置に設け、使い捨てカイロ８をポケット５に収容して着用し、使い捨てカイロ８を取替自在とする。【選択図】  図１
2008214804.tif 000002
【特許請求の範囲】
【請求項１】
花粉症等のアレルギー疾患に伴う諸症状の軽減のために大椎に温熱刺激を施すための着衣であって、上半身に着用するハイネック型のシャツ１の後衿部分に、使い捨てカイロ８を収容するポケット５を、人体の大椎の位置に適合した位置に設け、使い捨てカイロ８をポケット５に収容して着用し、使い捨てカイロ８を取替自在とした大椎に温熱刺激を施すための着衣。
【発明の詳細な説明】
【技術分野】
【０００１】
この発明は、東洋療法におけるツボである大椎に温熱刺激を施すための着衣に関するものである。
【背景技術】
【０００２】
人体の第７頸椎と第１胸椎の棘突起の間にある大椎は、東洋療法におけるツボとして知られている。大椎は、手足の陽経が交わることから体表の機能を高める効果があり、花粉症等のアレルギー疾患に伴う諸症状（クシャミ、鼻水、鼻づまり、目の痒み等）の軽減のため、温灸等により大椎に温熱刺激を施すことが効果的である。しかし、治療院にて大椎に温灸を施した場合、その効果が持続しない。
【発明の開示】
【発明が解決しようとする課題】
【０００３】
この発明は、市販の使い捨てカイロを使用し、着用者がこの使い捨てカイロを取り替えることで、大椎に持続的に温熱刺激を施すことができる着衣を提案し、花粉症の諸症状の軽減を図ることを目的とするものである。また、東洋療法の知識を有しない者でも正しい大椎の位置に温熱刺激を施すことができる着衣を提案することを目的とするものである。
【課題を解決するための手段】
【０００４】
こうした目的を達成するため、この発明は、花粉症等のアレルギー疾患に伴う諸症状の軽減のために大椎に温熱刺激を施すための着衣であって、上半身に着用するハイネック型のシャツ１の後衿部分に、使い捨てカイロ８を収容するポケット５を、人体の大椎の位置に適合した位置に設ける。そして、使い捨てカイロ８をポケット５に収容して着用し、使い捨てカイロ８を取替自在とするものである。
【発明の効果】
【０００５】
この発明の大椎に温熱刺激を施すための着衣は、市販の使い捨てカイロ８をポケット５に収容して着用することで、使い捨てカイロ８が大椎に温熱刺激を施し、花粉症等のアレルギー疾患に伴う諸症状の軽減を図ることができ、使い捨てカイロ８を取り替えることで、温熱刺激を持続的に施し、その効果を持続することができる。また、ポケット８を人体の大椎の位置に適合した位置に設けているので、東洋療法の知識を有しない者でも正しい大椎の位置に温熱刺激を施すことができる。さらに、ポケット８はシャツ１の後衿部分に設けられ、着用者の体格の差異に係わらず、正しい大椎の位置に温熱刺激を施すことができる。
【０００６】
また、使い捨てカイロ８は簡単且つ安価に入手することができ、使用済みのカイロ８を取り替えるだけであるから使用方法も容易である。
【発明を実施するための最良の形態】
【０００７】
以下にこの発明を実施するための最良の形態について、図面を用いて説明する。
図面はこの発明の実施例で、図に示す上半身に着用するシャツ１は、ハイネック２を有した素肌に着用するアンダーシャツ（肌着）である。シャツ１の後衿部分に、使い捨てカイロ８を収容するポケット５が設けられている。このポケット５は、人体の大椎の位置に適合した位置に設けられ、上縁のスリット状の挿入口６がシャツ１の背面に開口し、この挿入口６から使い捨てカイロ８をポケット５内に挿入して収容する。図３に示すように、使い捨てカイロ８をポケット５に収容後、ハイネック２を折り畳むことで、挿入口６が蓋されてカイロ８がポケット５から容易に離脱しないようにされている。なお、使い捨てカイロ８は、鉄粉、水、塩類、活性炭、高分子吸水剤等を袋内に収容し、鉄粉の酸化作用に伴う発熱を利用したカイロで、広く市販されているものである。
【０００８】
図４及び５はシャツ１を上半身に着用した状態を示す。図に示すように、ポケット８が人体の大椎の位置に適合した位置に設けられているので、ポケット８に収容した使い捨てカイロ８の発熱で大椎に温熱刺激が施される。カイロ８の発熱が消滅したら、新たな使い捨てカイロ８をポケット５に収容して取り替える。このようにして、大椎に温熱刺激が持続的に施され、花粉症等のアレルギー疾患に伴う諸症状の軽減に有益である。
【０００９】
以上、実施例について説明したが、この発明はこれに限定されるものではない。例えば、ポケット５の上縁にフラップを設けて掛け留めたり、上縁にファスナーを設けて締め留めする構造としてもよく、ハイネック２も折り畳まない短いものでもよい。また、シャツ１は半袖のＴシャツでもよいし、アンダーシャツとは限られず、肌着の上から着用するものでもよく、デザインも自由であり、生地も織地、編地等を問わないものである。
【図面の簡単な説明】
【００１０】
【図１】この発明の実施例の背面図。
【図２】一部を切り欠いた正面図。
【図３】ハイネックを折り畳んだ状態の背面図。
【図４】シャツを着用した状態の背面図。
【図５】シャツを着用した状態の側面図。
【符号の説明】
【００１１】
１  シャツ
５  ポケット
８  使い捨てカイロ
【図１】
2008214804.tif 000003
【図２】
2008214804.tif 000004
【図３】
2008214804.tif 000005
【図４】
2008214804.tif 000006
【図５】
2008214804.tif 000007
(57)【要約】【課題】  外出着の上からエプロンをしていても、エプロンをしていることが目立たず、着衣を汚さないで食事をすることができ、いつでもどこでも使え、小さくたためる透明エプロンを提供する。【解決手段】  エプロンを透明な素材で作り、どんな着衣にでも付けられるように、透明な紐（３）の両端に透明なクリップ（２）を設ける。  本発明は、以上の構成よりなるよだれかけよりも若干長めの形状をした透明エプロン。【選択図】図１
2008214838.tif 000002
【特許請求の範囲】
【請求項１】
エプロンを透明な素材で作り、どんな着衣にも付けられるように、透明な紐の両端に透明なクリップを着脱自在に設ける構成による、よだれかけよりも若干長めの形状をした透明エプロン。
【発明の詳細な説明】
【技術の分野】
【０００１】  本発明は、エプロンを透明素材とすることにより、着用時にも身に付けていないように見せる、よだれかけよりも若干長めの形状をした透明エプロンに関するものである。
【背景技術】
【０００２】  従来のエプロンは、色、柄が付いていた。
【発明の開示】
【発明が解決しようとする課題】
【０００３】  そのために、次のような欠点があった。
（イ）子供や老人、又体の不自由な人が、お洒落な着衣で、食事をする場合など、着衣をよごすので、エプロンをさせて食事をすることがある。しかしながら、エプロンをしていることが、だれが見てもすぐ分かった。それにより、本人もすることをいやがった。
（ロ）お洒落な着衣も、エプロンをすることで見えなくなった。
（ハ）エプロンを付けていることが、目立った。
本発明は、以上のような点をなくすために、なされたものである。
【課題を解決するための手段】
【０００４】  エプロンを透明な素材で作り、どんな着衣にでも付けられるように、透明な紐の両端に、透明なクリップを着脱自在に設ける構成による、透明エプロン。
【発明の効果】
【０００５】  （イ）エプロンは、着衣を汚さないという利点があるが、外食などの時は、お洒落な着衣を着ていても、エプロンを付けないで食事をする。  しかしお洒落な着衣を汚す心配のある人、子供や老人、体の不自由な人が、この透明エプロンを使用した場合、エプロンを使用していることが目立たず、お洒落な着衣を汚すことなく食事ができる。又、外出の際小さく畳んで持参できるので便利に使える。
（ロ）例えば結婚式の披露宴などのパーティーで、着物やドレスを着た小さな子供や年寄りが、この透明エプロンを身に付けることで食事の際の食べこぼしを心配する必要がないばかりでなく、お洒落に着飾った見た目を維持できる。食事中に写真を撮る際も、エプロンが透明であることで、素敵な柄の着物やドレスで着飾った写真を残すことができ、エプロンを身に付けていることで感じる違和感を無くすことが可能である。
【発明を実施するための最良の形態】
【０００６】  透明フィルム、（例えば塩化ビニール製の透明テーブルクロス厚さ０．１５ｍｍ）使用のエプロンと、透明な紐（３）（例えばテグスの太いようなもの）、太さ直径１ｍｍ長さ２０ｃｍに、透明なプラスチック製のクリップ（２）２個を通し、紐止め金具（例えば天地の開口した、一側にスリットがあるカシメ固定する環状体など）（４）で、前記透明な紐（３）の中央を止める。本発明は、以上の構成によりなる。
本発明を使用する時は、着衣を着たまま、首の後で面ファスナー（１）を止める。透明クリップ（２）の一方を透明エプロンの両脇にそれぞれ付け、もう一方の透明クリップ（２）を、着衣の両脇にそれぞれ止める。  この結果どんな着衣にも簡単に付けることができる。
【図面の簡単な説明】
【０００７】
【図１】本発明の正面図である。
【図２】本発明の右側図面である。
【図３】本発明の使用状態を示す図である。
【符号の説明】
【０００８】  １  面ファスナー
２  透明クリップ
３  透明な紐
４  紐止め金具
【図１】
2008214838.tif 000003
【図２】
2008214838.tif 000004
【図３】
2008214838.tif 000005
(57)【要約】【課題】  既製のワイシャツを首廻りのサイズに合せて購入しても、袖丈が合わない場合が多い。これは人の首の太さはおゝよそ体重に比例し、腕の長さは身長に比例するので、首廻りのサイズと裄（ゆき）の長さの組合せは数十通りになる。既製ワイシャツ製造業者、販売業者は廉価に提供する為に、重点的に数点を絞って製造し、販売する場合が多い。消費者が購入後、自身で簡易に調整し得る既製のワイシャツは、供給されていないのが現状である。【解決手段】  消費者は、ワイシャツを購入する場合、首廻りのサイズを目安に購入するから、本発明においても、裄（ゆき）丈を購入者が調節できるように、袖の上腕裏側に設けたボタンと、ボタンホールを一定間隔で多数設けたテープを縫い付けて置き、ボタンとボタンホールの嵌め合せを選択することによって、自身の袖丈と合せられるようにした。【選択図】図４
2008214840.tif 000002
【特許請求の範囲】
【請求項１】
ワイシャツの袖の肩から袖口に至る線の近傍で、肩からやゝ下った位置にボタンを縫い付け、ボタンの袖口方向に続く線上に、一定間隔でボタンホールを設けた、ボタンホールテープを縫い付けて置き、購入者が自身の袖丈に合せてボタンホールを選んでボタンをはめることにより、袖の長さを調整できるようにしたワイシャツ。
【発明の詳細な説明】
【技術分野】
【０００１】  主として成年男子が着用するワイシャツや、カジュアルシャツ（以下「ワイシャツ」という）の袖の長さを調節可能にする技術に関する。【０００２】  ワイシャツの袖の長さを調節する技術としては、ゴム紐を調節可能なリング状にして、袖の上から二の腕を軽く締めて、袖口を引張って長さを調節する方法と、長さ５〜６糎の帯状ゴム紐の両端に係止金具を設けて、係止金具間の長さより長くワイシャツの二の腕あたりに、たるみを持たせて留め、袖をたくし上げ、ワイシャツの袖口を上着の袖口に合せる２例が古くから行われているが、前者は着用の都度合せ直す面倒があり、後者は洗濯の都度合せ直す面倒がある。他に先行技術は見当らず、現在は専ら、首廻り長さを３６糎位から４５糎位まで１糎毎に１０段階位に分ち、又、裄（ゆき）（後首筋の中央から肩越しに手のくるぶしまでをいう）の長さを、６８糎位から８４糎位まで２糎毎に８段階位に分ち、これを組合せた８０通り位のワイシャツが製造され、既製紳士服専門店では全品種が店頭に並べられている。一般の洋品店では、人の体格をＳ、Ｍ、Ｌ、ＬＬ等に分ち、夫々１つの計四つの組合せサイズ、例えばＭサイズでは首廻り３９糎裄丈８０糎のように一つの組合せのみのワイシャツが売られている。
【発明の開示】
【発明が解決しようとする課題】
【０００３】  本発明が解決しようとする問題点は、首廻りのサイズに対して腕の長さは必ずしも比例せず、首廻りはおゝよそ体重に比例し、腕の長さは身長に比例するから、例えば首廻り４０糎の人でも、裄の長さは７０糎位の短い人もあり、８５糎以上もある長い人も居り、一様ではない。【０００４】  従って、ワイシャツ製造業者は、数十種類の組合せサイズの異なる製品を製造しなければならない。【０００５】  消費者は、袖丈の短いものを購入してしまった場合、我慢して着用し続ける以外に方法はなく、又長すぎたものを購入してしまった場合、袖口を折り返して使用するか、前述の調整器具を用いて着用するか、修繕業者か自家で縫い縮める以外に方法はない。標準体形以外の人が丁度よいサイズのワイシャツを望めば、注文して作るしかないが、極めて高価である。【０００６】  近頃、インターネットによる通販でワイシャツが取り上げられていて、廉価ではあるが首廻り３９糎、裄丈８０糎の場合が多く、Ｓ、Ｍ、Ｌの区分すらない。【０００７】  首廻りか桁丈のどちらかのサイズを消費者が自由に変えられゝば、この問題を解決することが可能であるから、本発明では裄丈を可変にする手段を採った。【０００８】  詳述すれば、袖の二の腕の相当部位の裏側に１個のボタンと、これに続き多数の一定間隔を保ったボタンホールを有するテープを縫着し、その嵌め合せ位置を変更することにより、あらかじめ長めに作ってある袖丈を最適な寸法に消費者自身が合せられるようにする。
【発明の効果】
【０００９】  ワイシャツ製造業者は、品種数が数分の一となり、一品種の製造数は数倍となり、作業効率が向上する。流通業者は在庫量が少量で済み、管理も容易となる。消費者は首廻りのサイズ丈を見て購入すればよく、自分の体に合せられワイシャツを安価に入手し得るなどの効果がある。
【発明を実施する為の最良の形態】
【００１０】  第８段落のボタン１は、第１図に示すように２５°位の楕円形で直径８乃至１０糎位、針孔２は２個のものが使い易い。
【００１１】  第８段落の多数の一定間隔を保った、ボタンホール３を有するテープ４は、熱可塑性合成樹脂繊維テープをレーザー加工法によってボタンホール３が毎１糎毎に計１５ヶ位作られる。
【００１２】  以下、本発明のワイシャツ袖の製造法について説明する。第３図は、従来の同一の首廻りのサイズで、裄丈最長のものより更に２乃至３糎長めに裁断した袖用の布地の裏面５を示し、鎖線で示す袖の峰線６より右は前身頃に、左は後身頃に縫い付けられる。
ボタン１は、肩より約１０糎下って、峰線６より１糎位前寄りに、ボタン１の長手方向を峰線６と直角に縫い付ける。ボタン１に接して、ボタンホールテープを峰線に副って片側だけ縫い付ける。
同様にして、反対側袖にもボタン１とボタンホールテープ４を縫い付けたものを筒状として、身頃と縫い合せ袖の長さが調整できるワイシャツは完成する。
【００１３】  本発明を実施すると、製造業者は僅かなワイシャツ生地の増加とボタンと、ボタンホールテープの購入価格と、これに伴う縫製料の増加が考えられるが、本発明実施による製品の格の上昇が見込めるので充分に補えるし、前述の多品種製造が数分の一の品種で済むメリットの方が遥かに大きい。
消費者は、首廻りのサイズだけを見て購入すれば、体形に合ったワイシャツがたやすく、安価に入手できるメリットがある。
【００１４】  洗濯する時はボタンを外して行い、アイロン掛をするにも何ら支障はない。着用の際、記号のボタンホールにボタンを嵌めて着用すればよい。
【図面の簡単な説明】
【００１５】
【図１】  ボタンの平面図
【図２】  ボタンホールテープの平面図
【図３】  袖裏にボタン、ボタンホールテープを縫い付けた平面図
【図４】  本発明実施例のワイシャツの一方の袖のみを係止した該部の一部断面図
【符号の説明】
【００１６】  １            ボタン
２            ボタンの針孔
３            ボタンホール
４            ボタンホールテープ
５            裏側から見た袖
６            袖の峰線
【図１】
2008214840.tif 000003
【図２】
2008214840.tif 000004
【図３】
2008214840.tif 000005
【図４】
2008214840.tif 000006
(57)【要約】【課題】簡単な操作で水素を一定期間、継続的に供給し、安全に使用することができる水素発生剤を提供する。【解決手段】鉄粉と固体の酸からなる組成物を打錠あるいは、顆粒状に一体成型させた物に水を添加することにより水素を発生させる。【選択図】なし【特許請求の範囲】
【請求項１】
鉄粉と固体の酸を含むことを特徴とする水素発生剤。
【請求項２】
鉄粉と固体の酸が一体に成型されている請求項１の水素発生剤。
【請求項３】
鉄粉と固体の酸が錠剤あるいは顆粒状に成型されている請求項２の水素発生剤。
【請求項４】
鉄粉が還元鉄粉、電解鉄粉あるいは、鋳鉄粉である請求項１〜３の水素発生剤。
【請求項５】
固体の酸が、リン酸２水素カルシウム、リン酸２水素アンモニウム、フタル酸、無水フタル酸、スルファニル酸、DL‐リンゴ酸、マレイン酸、フマル酸、リン酸１ナトリウム、酸性ピロリン酸ナトリウム、酸性メタリン酸ナトリウムである請求項１〜３の水素発生剤。
【請求項６】
請求項１〜３のいずれかに記載される水素発生剤に水を添加して水素を発生させることを特徴とする水素発生方法。
【発明の詳細な説明】
【技術分野】
【０００１】
本発明は、鉄粉と固体の酸を含む水素発生剤および、当該水素発生剤に水を添加して水素を発生させる方法に関し、特に水素の還元作用を利用する用途、たとえば消臭剤として利用できる技術に関する。
【背景技術】
【０００２】
従来から、ある種の金属と酸あるいは、金属とアルカリを反応させれば水素が発生することは知られている。代表的には、鉄と塩酸との反応があげられるが、この反応は約２４時間で完結してしまい消臭等を目的とした継続的な使用には適さない。
【０００３】
また、水と鉄粉の化学反応により水を分解して水素を発生させる方法も提案されているが、この方法は反応温度を１００℃〜４００℃にする必要があり、さらに複雑な設備・装置が必要になる。（特許文献１参照）
【特許文献１】特開２００６−３６５８０
【発明の開示】
【発明が解決しようとする課題】
【０００４】
本発明の目的は、解決しようとする問題点は、簡単な操作で水素を一定期間、継続的に供給し、安全に使用することができる水素発生剤を提供することにある。
【課題を解決するための手段】
【０００５】
本発明は、上記目的を達成すべく検討した結果、鉄粉と固体の酸を含む物に水を添加すること、水素を３０日から６０日間の長期間にわたって継続的に発生させることができることを見出し、本発明を完成した。
【０００６】
即ち、本発明の一つは鉄粉と固体の酸を含む水素発生剤に関する。
鉄粉を固体は打錠あるいは、顆粒状に成型されていることが好ましい。
本発明のもう一つは、鉄粉と固体の酸を含む水素発生剤に水を添加して水素を発生させる水素発生剤に関する。
【発明の効果】
【０００７】
本発明の水素発生剤は、水を添加すれば約１分経過後には水素を発生しはじめ、種々の条件によって異なってくるが、３０日から６０日間水素を発生し続ける。
【０００８】
本発明は、水を添加するだけで簡単に長期間にわたって水素を発生させることができる事から、たとえば消臭剤として利用できる。
【発明を実施するための最良の形態】
【０００９】
本発明において鉄粉とは、還元鉄、電解鉄あるいは鋳鉄粉であり、好ましくは還元鉄、電解鉄である。
本発明において固体の酸とは、リン酸２水素カルシウム、リン酸２水素アンモニウム、フタル酸、無水フタル酸、スルファニル酸、DL‐リンゴ酸、マレイン酸、フマル酸、リン酸１ナトリウム、酸性ピロリン酸ナトリウム、酸性メタリン酸ナトリウムであり、好ましくは、リン酸2水素カルシウム、フタル酸である。
【００１０】
鉄と固体の酸は混合して用いるがその混合比は、リン酸２水素カルシウムの場合、鉄１モルに対して０．２モル〜２モルの範囲で、好ましくは０．４モル〜０．７モルの範囲である。フタル酸の場合、鉄１モルに対して０．５モル〜３モルの範囲で、好ましくは０．８モルから１．５モルの範囲である。
その他の固体の酸の場合は、
添加する水の量は、打錠剤４５ｇの場合、２０ml〜３００mlであるが、好ましくは、５０ml〜１５０mlである。
【実施例】
【００１１】
本発明を実施例および比較例をあげて説明するが、本発明はこれらの例によって限定されるものではない。
【００１２】
鉄粉と固体の酸の打錠品製造
〔製造例１〕還元鉄粉とリン酸２水素カルシウムの打錠
還元鉄粉３５０ｇをリン酸２水素カルシウム８４０ｇ、バインダーとしてヒドロキシプロピルセルロース２４ｇ、離型剤としてステアリン酸マグネシウム１２ｇを混合し、圧力１ｔ（トン）の重さで打錠を行った。１錠の重量は約４５ｇであった。
〔製造例２〕還元鉄粉とフタル酸の打錠
還元鉄３５０ｇとフタル酸１,０５０g、バインダーとしてヒドロキシプロピルセルロース２８ｇ、離型剤としてステアリン酸マグネシウム１４ｇを混合し、圧力１ｔ（トン）の重さで打錠を行った。１錠の重量は約４５ｇであった。
〔製造例３〕電解鉄とリン酸２水素カルシウムの打錠
電解鉄３５０ｇとリン酸２水素カルシウム８４０ｇ、バインダーとしてヒドロキシプロピルセルロース２４ｇ、離型剤としてステアリン酸マグネシウム１２ｇを混合し、圧力    １ｔ（トン）の重さで打錠を行った。１錠の重量は約４５ｇであった。
【００１３】
〔水素発生剤の評価試験〕
実施例１、２、３で製造した打錠品を試験検体とした。２００mlのガラス製広口ビンに水１００ｍｌを取り、各々の打錠品を入れ、ただちにゴム栓をし、水上置換法でシリンダーを用いて発生ガス量を測定した。
測定条件は、屋外で行った為、外気温（摂氏）−２℃から＋１０℃（前後）、水温で−１℃から＋５℃程度である。従って冷蔵庫と同等かより（冷たくきびしい）苛酷な条件となっている。
【００１４】
（比較例）還元鉄粉１０ｇを２００mlのガラス製広口ビンに入れ塩酸（試薬１級）３７ml、水６３mlを流し込み、ただちにゴム栓をし、同じくシリンダーで発生ガス量を測定した。
（実施例１、２、３および、比較例を表１に示す）
【００１５】
【表１】
2008214125.tif 000002
2008214125.tif 000003
2008214125.tif 000004
理論量、水温０℃における水素の発生量
１．鉄粉１０ｇの場合、４ l（リットル）
２．鉄粉１３ｇの場合、５．３ l（リットル）
（打錠品４５ｇ）
【産業上の利用可能性】
【００１６】
本発明品の消臭剤としての具体的な例としては、自動車の室内、冷蔵庫、室内、クローゼットなどの限られた空間の消臭に適している。
(57)【要約】      （修正有）【課題】チューブ入り油絵具を安定させる為の媒体として体質顔料を使用することによる発色の鈍化、蜜蝋を使用することによる艶の消失、あるいは西洋古典油彩のメルギプを使用した際のメルギプ自体の経年劣化およびチューブ入り絵具に使用した場合の分離、凝固、等々の問題点を解決した油絵具用媒体を提供する。【解決手段】チューブ入りの油絵具を安定させる為の媒体として、乾性油にマスチック樹脂を２０重量％以下加熱して溶かした油絵具用媒体を使用する。【選択図】なし【特許請求の範囲】
【請求項１】
乾性油にマスチック樹脂を加熱して溶かしたチューブ入り油絵具用媒体。
【請求項２】
マスチック樹脂を２５重量％以下含有することを特徴とする請求項１記載のチューブ入り油絵具用媒体
【発明の詳細な説明】
【技術分野】
【０００１】本発明はチューブ入り油絵具用媒体の改良に関する。
【背景技術】
【０００２】西洋古典油彩においては乾性油とテレピン、マスチック樹脂を加熱溶解して作ったメルギプというゼリー状のメディウムが使われていた。（例えば非特許文献１参照）
【非特許文献１】巨匠に学ぶ絵画技法  著者  Ｊ．シェパード
【非特許文献２】油彩画の技術  著者  グザヴィエ・ド・ラングレ
【非特許文献３】絵画技術体系  著者  マックスデルナー
【発明の開示】
【発明が解決しようとする課題】
【０００３】従来チューブ入りの油絵具を安定させる為の媒体には体質顔料や蜜蝋が使われていたが、体質顔料の使用はその分色彩を薄め発色を鈍くしてしまい、蜜蝋の使用は艶をなくし発色を鈍くしてしまう。西洋古典油彩のメルギプを使用した場合、メルギプ自体の性能は経年劣化しやすく、又チューブ入り絵具に使用しても早々に分離、凝固等の好ましくない結果を生じた。
【課題を解決するための手段】
【０００４】チューブ入りの油絵具を安定させる為の媒体に乾性油にマスチック樹脂を２０重量％以下加熱して溶かした油絵具用媒体を使用する。
【発明の効果】
【０００５】マスチック樹脂を油絵具用媒体である乾性油に溶かしこむことにより絵具の顔料と媒体の分離、凝固を防ぎ安定させることができる。
体質顔料のように色彩顔料の割合を低下させることもない為、色彩顔料そのものの色合いを保ち、絵具の輝度、透過性を向上させ絵具の伸びを良くし、なめらかで描きやすくすることができる。
【発明を実施するための最良の形態】
【０００６】乾性油を加熱し１００℃から１２０℃でマスチック樹脂を溶解する。乾性油とマスチック樹脂の重量比は対象の顔料や望む効果により変える事ができるがおよそ重量比１０：１程にて各種顔料に対し良好な結果が得られる。